(57)【要約】【課題】透明樹脂材料の有する透明感を損ねることなく容器体１０の輪郭を特定の色相で浮かび上がらせることのできる興趣性の高いアルコール飲料等の飲用容器を提供する。【解決手段】方形の底面１１と底面１１の周囲を取り囲む２対の側面１２，１２…とを透明度の高い樹脂材料から升形の容器体１０として一体成形し、この容器体１０の底面に有色の塗膜層２２を帯状に形成する。そして、塗膜層２２からの反射光を２対の透明な側面１２，１２…の厚み内を透過させることによって、升形の容器体１０の上端面１０ａと四方の横角部１０ｆ，１０ｆ…とに導光し、反映させる。【選択図】　図１
2004018022.tif 000002
【特許請求の範囲】
【請求項１】
底面と該底面の周囲を取り囲む側面とを透明度の高い樹脂材料から上面開放の容器体として一体成形するとともに、該容器体の底面に有色の塗膜層を帯状に形成してなり、
該塗膜層は、前記側面の厚みによって形成される前記容器体の上端面に対応する位置に形成し、該塗膜層からの反射光を前記側面の厚み内を透過させることによって、前記容器体の上端面に導光することを特徴とする、
アルコール飲料等の飲用容器。
【請求項２】
方形または長方形の底面と該底面の周囲を取り囲む２対の側面とを透明度の高い樹脂材料から升形の容器体として一体成形するとともに、該升形の容器体の底面に有色の塗膜層を帯状に形成してなり、
該塗膜層は、前記２対の側面の厚みによって形成される前記升形の容器体の上端面に対応する位置に形成し、該塗膜層からの反射光を前記２対の側面の厚み内を透過させることによって、前記升形の容器体の上端面と容器体の四方の横角部とに導光することを特徴とする、
アルコール飲料等の飲用容器。
【請求項３】
前記塗膜層は、前記２対の側面の上端面に対応する箇所ごとに異なる色相とすることを特徴とする、
請求項２に記載のアルコール飲料等の飲用容器。
【請求項４】
前記塗膜層は、前記容器体の底面から浮かせて形成することを特徴とする、
請求項１ないし請求項３のいずれかに記載のアルコール飲料等の飲用容器。
【請求項５】
前記塗膜層は、蛍光塗料によって形成されていることを特徴とする、
請求項１ないし請求項４のいずれかに記載のアルコール飲料等の飲用容器。
【発明の詳細な説明】
【０００１】
【発明の属する技術分野】
本発明は、透明な板状体の内部を進行する光の性質を利用することによって、観察する角度によって異なる部分が着色されているように見えるように工夫した興趣性に富むアルコール飲料等の飲用容器に関する。
【０００２】
【従来の技術】
日本酒あるいは洋酒であるとを問わず、アルコール飲料等は、一般的には専ら楽しみのために飲用されている。したがって、アルコール飲料等の飲用容器には、楽しい雰囲気を減殺しないように、あるいは楽しみを助長するような格別のデザインや趣向を凝らしたものが求められる。
【０００３】
このような要望に応えるものとして、従来、計量容器を模してなる升形容器が提供されている。普及の初期段階における升形容器は、木製の計量升そのものと同等の造りであり、日本酒以外のアルコール飲料には適合しなかったが、今日では、透明樹脂材料から成形加工した垢抜けたデザインのものも提供され、日本酒にも洋酒にも適合するものとして広く利用されている。ただし、容器体全体が単に透明なものは、例えば、深い彫刻を施したカットグラスのように素材自体を吟味し、かつ、仕上げに手数を掛けない限りは、高級感を演出することが難しいという一面を有するものである。
【０００４】
そこで、透明樹脂材料からなる升形容器には、より興趣性を高めるとともに、高級感を演出する観点から、升形容器の上端面と、上端面に対応する底面とに着色を施したものが知られている（特開平８−２０５９８１号公報）。そして、この着色による効果として、注がれた日本酒との干渉効果により幾つもの帯状が見られるとしている。
【０００５】
【発明が解決しようとする課題】
上記従来の升形容器については、使用上最も目立ち易い上端面が塗料によって塗り潰されているために、透明樹脂材料を用いながらも透明材料特有の清涼感が十分に生かされないという別の問題があり、また、升形容器の上端面は、開口部の周縁部を形成しているため、洗い場等での取扱いによって他の食器等とぶつかり合って塗料が部分的に剥離し易く、比較的短期間内に外観上の品位が低下するという問題もあった。
【０００６】
本発明は、透明な板状体において、一方の端面から侵入した有色光は、透明な板状体の透明感に殆ど影響を与えることなく他方の端面に抜け出るという現象を応用し、容器体の上端面に塗膜層を形成することなく、すなわち透明樹脂材料の有する透明感を損ねることなく、また、塗料の剥離等が起こり得ない形態で、しかも、見る角度によって出現したり消滅したりする高い興趣性を伴いながら容器体の上端面に特定の色相を付与したアルコール飲料等の飲用容器を提供することを目的とする。
【０００７】
【課題を解決するための手段】
この目的を達成するための手段として本発明は、次のような構成を採用する。
【０００８】
本発明に係るアルコール飲料等の飲用容器は、底面と底面の周囲を取り囲む側面とを透明度の高い樹脂材料から上面開放の容器体として一体成形するとともに、容器体の底面に有色の塗膜層を帯状に形成してなり、この際、塗膜層は、側面の厚みによって形成される容器体の上端面に対応する位置に形成し、塗膜層からの反射光を側面の厚み内を透過させることによって容器体の上端面に導光することを特徴とする。
【０００９】
この構成によれば、塗膜層が容器体の底面であって容器体の上端面に対応する位置、換言すれば、底面と側面とが一体に接続する位置の裏面、すなわち、一種の三角プリズムのような位置に形成されているので、塗膜層の存在は、いずれの角度からの観察においても直接には認識されない。しかし、斜め上方からの観察において、塗膜層の付近には、何所から出ているのか判然としない形態の塗膜層の色相が観察され不思議な興趣性を発揮している。一方、塗膜層で反射した反射光は、側面の厚み内を透過して容器体の上端面に到達するので、容器体の上端面は、塗料を塗った場合とは大幅に異なる透明感を伴った塗膜層の色相が反映されている。そして、容器体を真横から観察するとき、これらの色相は、一瞬にして消失し、容器体は、ほぼ完全な透明体として観察される。
【００１０】
また、別に、本発明に係るアルコール飲料等の飲用容器は、方形または長方形の底面とこの底面の周囲を取り囲む２対の側面とを透明度の高い樹脂材料から升形の容器体として一体成形するとともに、升形の容器体の底面に有色の塗膜層を帯状に形成してなり、この際、塗膜層は、２対の側面の厚みによって形成される升形の容器体の上端面に対応する位置に形成し、塗膜層からの反射光を２対の側面の厚み内を透過させることによって、升形の容器体の上端面と容器体の四方の横角部とに導光することを特徴とする。
【００１１】
この構成によれば、容器体の底面に形成された塗膜層からの反射光は、それぞれ底面の四周に対応する側面の厚み内を透過して当該側面の上端面と左右の側端面とに反映される。この結果、升形の容器体全体としては、その角枠状の上端面と、２対の側面が接続する容器体の横角部および塗膜層付近、すなわち、容器体の輪郭が塗膜層の色相に染まって観察される。
【００１２】
本発明に係る上記アルコール飲料等の飲用容器における塗膜層は、２対の側面の上端面に対応する箇所ごとに異なる色相とすることを特徴とする。
【００１３】
この構成によれば、２対の側面のそれぞれの上端面には、対応する箇所に塗膜層の色相が反映されるので、升形の容器体全体としては、その上端面の一辺ごとに異なる色相に染まって観察されるとともに、容器体の四角部分には、隣接する側面に対応する塗膜層から反射して異なる色相が反映されるので、観察する角度によって色相を変化させることができる。
【００１４】
本発明に係るアルコール飲料等の飲用容器における塗膜層は、容器体の底面から浮かせて形成することを特徴とする。
【００１５】
この構成によれば、アルコール飲料等の飲用容器の使用中に塗膜層がテーブル等に擦れないので、塗膜層の擦過傷や剥落を防止することができる。
【００１６】
本発明に係るアルコール飲料等の飲用容器における塗膜層は、蛍光塗料によって形成されていることを特徴とする。
【００１７】
この構成によれば、照明を落としたような環境下において容器体の輪郭が蛍光塗料特有の雰囲気をもって浮かび上がって見えるので、格別の興趣を演出することができる。
【００１８】
【発明の実施の形態】
以下、図面を引用しながら本発明の実施の形態を説明する。
【００１９】
アルコール飲料等の飲用容器は、容器体１０の底面１１に有色の塗膜層２２を形成してなる（図１）。容器体１０は、方形の底面１１と、その四周を取り囲む２対の側面１２，１２…との５面で構成され、これらの各構成面は、透明の硬質アクリル樹脂材料から升形に一体成形されている。容器体１０の縦、横、高さ寸法および各側面１２の厚みは、木製の計量升を縮小したようなプロポーションに設定され、各側面１２は、十分な厚みＴを有する。また、容器体１０の上面側は、２対の側面で囲まれた開口部となっている。
【００２０】
塗膜層２２は、アクリル樹脂に対する付着性の高いアクリル系の塗料を用いて形成されている。この際、用いる塗料の色相に制約はなく、季節等に応じて適切な色を選択することができる。この塗膜層２２は、２対の側面１２，１２…の上端面１２ａ，１２ａ…の連続によって構成される容器体１０の上端面１０ａに対応する位置の底面１１の裏面側、つまり、容器体１０の上端面１０ａを底面１１の裏面に投影した位置に相当する位置において、底面１１の周囲を一周する帯状に形成されている（図１，図２）。ただし、塗膜層２２の幅は、各側面１２の厚みＴより狭く設定され、各側面１２の厚みＴからはみ出さないように形成されている。
【００２１】
この形態のアルコール飲料等の飲用容器においては、容器体１０の全体が透明樹脂材料からなるので、周辺環境からの外光があらゆる角度から容器体を透過し、容器体１０は、明るく透けて見える。ただし、容器体１０の各構成面に対して一定の入射角を有さない外光は、全反射することとなる。この全反射は、視覚的には、容器体１０に対して特定の構成面の表面が鏡面のようにきらりと輝く現象として観察される。そして、この全反射現象が、本発明を特徴付ける作用をしている。
【００２２】
すなわち、容器体１０に形成された塗膜層２２は、側面１２，１２…の下位置に設けられているため直接観察することはできず、容器体１０の下角部１０ｂ，１０ｂ…を透かしてのみ観察することができる。しかし、この部分は、底面１１と各側面１２とが接続することによって３角プリズムのように機能するとともに、４箇所の下角部１０ａ，１０ａ…が異なる方向を向いているために、塗膜層２２からの反射光は、各下角部１０ａごとに異なる態様で観察される。ただし、容器体１０全体としては、その下角部１０ａ，１０ａ…が塗膜層２２の色相に隈取りされたように染まって見える。
【００２３】
塗膜層２２の反射光のうち塗膜層２２付近で外部に漏れ出なかった反射光は、側面１２，１２…を媒体として容器体１０の上端面１０ａおよび四方の横角部１０ｆ，１０ｆ…へと導光され、上端面１０ａと横角部１０ｆ，１０ｆ…とを塗膜層２２の色相に染めて浮かび上がらせる。この際、側面１２，１２…の色相は変化せず、透明な状態を維持する。すなわち、塗膜層２２からの反射光は、各側面１２の厚みＴ内を側面１２の表面に全反射しながら外部に漏れることなく進行するので、視覚的には観察されないのである。この結果、容器体１０は、透明感を失うことなくその輪郭部分のみを隈取りしたように浮かび上がらせる特有の視覚効果を演出することができる。
【００２４】
以下、順次に他の実施の形態について説明する。上記升形の容器体１０における塗膜層２２は、各側面１２の上端面１２ａに対応する箇所ごとに異なる色相とすることができる（図３）。この形態の容器体１０では、底面１１の裏面に各側面１２に対応させて４色の塗膜層２２，２２…が形成されている。そして、各塗膜層１２からの反射光は、それぞれ対応する側面１２の厚みＴ内を透過して容器体１０の上端面１０ａおよび四方の横角部１０ｆ，１０ｆ…に到達することにより、容器体１０の輪郭を多色に染めて浮かび上がらせることができるので（図１参照）、極めて複雑な視覚効果を演出することができる。
【００２５】
塗膜層２２は、擦過傷の付着や剥落を防止する観点から、容器体１０の底面１１から浮かせて形成することが好ましい（図４）。底面１１の裏面側の周縁部には、底面１１を取り巻くように段差１１ｄが形成され、この部分は、テーブル等に接触しないようにされている。そして、塗膜層２２は、この段差１１ｄ部分に形成されている。これによって、塗膜層２２の耐用期間を大幅に延長することができる。なお、段差１１ｄ部分を保護樹脂で埋め、塗膜層２２を被覆すれば一層効果的である。
【００２６】
アルコール飲料等の飲用容器における容器体１０は、飲用に適する任意の形状および大きさとすることができ、例えば、円形の底面１１と円筒状の底面１２とからなる丸いコップ形とすることができる（図５）。ただし、側面１２には、十分な厚みを設定してあり、容器体１０の上端面を明確に形成している。そして、この上端面１０ａに対応する底面１１の裏面には、半周分ごとに色相を違えた塗膜層２２，２２が形成されている（図６）。したがって、容器体１０の上端面１０ａには、２色の色相が浮かび上がって観察される。
【００２７】
上記いずれの形態の容器体１０についても、塗膜層２２の形成用に蛍光塗料を用いることができる。蛍光塗料の採用によって、照明を落とした環境下においても容器体１０の輪郭を浮かび上がらせることができるので、格別の興趣を醸し出すことができる他、容器体１０の位置確認にも便利である。
【００２８】
なお、以上の説明を補足して、樹脂材料としては、無色透明で、しかも光の透過性の良好な硬質アクリル樹脂が好ましいが、その他、ＡＢＳ樹脂、ＰＰ樹脂、ＰＥ樹脂等も使用可能である。また、樹脂材料には、金箔等の金属箔を混入して射出成形してもよく、この場合には、塗膜層２２からの反射光が金属箔に反射して美麗である。また、容器体１０の一部または全部に曇りガラスのように、フロスト加工を施してもよい。さらに、塗膜層２２は、任意の色相のテープを用いて形成することもできる。
【００２９】
【発明の効果】
本発明に係るアルコール飲料等の飲用容器は、底面と該底面の周囲を取り囲む側面とを透明度の高い樹脂材料から上面開放の容器体として一体成形するとともに、容器体の上端面に対応する位置の容器体の底面に有色の塗膜層を帯状に形成しているから、透明な板状体の内部を進行する光の性質によって、塗膜層からの反射光を容器体の上端面等に導光して反映させることができるので、透明樹脂材料の透明感を損ねることなく容器体の輪郭を塗膜層の色相に染めたように浮かび上がらせることが可能であり、格別の興趣を演出することができる。
【図面の簡単な説明】
【図１　】本発明の実施の形態を示す斜視図。
【図２】本発明の実施の形態を示す図１の底面図。
【図３】本発明にかかる他の実施の形態を示す底面図。
【図４】本発明にかかる他の実施の形態を示す要部の断面図。
【図５】本発明にかかる他の実施の形態を示す斜視図。
【図６】本発明実施の形態を示す図５の底面図。
【符号の説明】
Ｔ　　　　　厚み
１０　　　　容器体
１０ａ　　　上端面
１０ｆ　　　横角部
１１　　　　底面
１２　　　　側面
２２　　　　塗膜層
【図１】
2004018022.tif 000003
【図２】
2004018022.tif 000004
【図３】
2004018022.tif 000005
【図４】
2004018022.tif 000006
【図５】
2004018022.tif 000007
【図６】
2004018022.tif 000008